(57)【要約】【課題】１個の携帯用移動端末に１個のストラップを容易に取り付けできるだけでなく、複数のストラップを容易に取り付けできるストラップ取り付け構造、並びに、そのストラップ取り付け構造を備える電子機器を提供する。【解決手段】ストラップ取り付け構造ＳＣは、ストラップ５１に設けられている紐５２を巻き付かせる挟持片３と、紐５２を差し込める溝孔２と、を含むとともに、挟持片３の頭となる連結端５を溝孔２内に埋没させるとともに、連結端５を溝孔２外に突出させる挟持片可動機構ＮＭを備える【選択図】図１
2008258351.tif 000002
【特許請求の範囲】
【請求項１】
ストラップに設けられている紐を巻き付かせる挟持片と、
上記紐を差し込める溝孔と、
を含むとともに、
上記挟持片の頭となる端を上記溝孔内に埋没させるとともに、その端を上記溝孔外に突出させる挟持片可動機構を含むストラップ取り付け構造。
【請求項２】
上記挟持片可動機構が、挟持片の埋没状態および挟持片の突出状態を維持する制止機能を有する請求項１に記載のストラップ取り付け構造。
【請求項３】
上記挟持片は、対向する挟持端と、挟持端同士をつなぐ連結端とを有しており、
上記制止機能によって、上記連結端と上記溝孔の底との間隔を変化させている請求項２に記載のストラップ取り付け構造。
【請求項４】
上記挟持片可動機構は、
上記挟持片と、
上記の溝孔の底に位置し、挟持片の脚となる挟持端を挿入する挿入口と、
上記挿入口につながる円筒開孔と、
上記円筒開孔内に収まる以下の（１）〜（４）の部材と、を含んでおり、
（１）挿入口から突き出る挟持端を通させる通り口を有するカップ状の第１カップ            状部材
（２）上記第１カップ状部材に収まり、上記通り口から突き出る挟持片の脚につな            がるカップ状の第２カップ状部材
（３）第１カップ状部材および第２カップ状部材に接触する接触端を有する円筒部            材
（４）円筒開孔の底に位置し、上記円筒部材を突き上げることで、その円筒部材を            円筒開孔内で移動させる弾性部材
上記第１カップ状部材には、
挟持片の全部を溝孔に埋没させるためにその挟持片が押下される場合、挟持片に      連動する第２カップ状部材に接触することで移動する接触端を係止させる係止端と      、
挟持片の一部を溝孔から突出させるためにその挟持片が押下される場合、挟持片      に連動する第２カップ状部材に接触することで上記係止端から乖離する接触端を滑      らせる第１滑走端と、
上記第１滑走端を滑る接触端の移動を係止させる第１の切れ込み端と、
が含まれている請求項１〜３のいずれか１項に記載のストラップ取り付け構造。
【請求項５】
上記第１のカップ状部材において、
上記第１切れ込み端の隣には、第１滑走端とで第１切れ込み端を挟持するような第    ２滑走端が形成されるとともに、
上記第２滑走端の隣には、第１の切れ込み端とで第２滑走端を挟持するような第２    の切れ込み端が形成されており、
挟持片の一部を溝孔から突出させるためにその挟持片が押下される場合、挟持片に連動する第２カップ状部材に接触することで上記第１の切れ込み端から乖離する接触端は、第２滑走端を滑った後、第２の切れ込み端によって係止される請求項４に記載のストラップ取り付け構造。
【請求項６】
上記第１カップ状部材は、カップの底側を上記挿入口に対面させるとともに、上記通り口を上記カップの底から窪ませた窪み溝の底に位置させており、
上記窪み溝の底と第２カップ状部材との接触、および、第２カップ状部材と上記接触端との接触が、挟持片の埋没状態を維持する制止機能になっている請求項４または５に記載のストラップ取り付け構造。
【請求項７】
上記窪み溝の底と第２カップ状部材との接触、および第２カップ状部材と上記切れ込み端によって係止する接触端との接触が、挟持片の突出状態を維持する制止機能になっている請求項６に記載のストラップ取り付け構造。
【請求項８】
請求項１〜７のいずれか１項に記載のストラップ取り付け構造を備える電子機器。
【発明の詳細な説明】
【技術分野】
【０００１】
本発明は、ストラップを取り付けるためのストラップ取り付け構造、および、そのストラップ取り付け構造を備える電子機器に関する。
【背景技術】
【０００２】
従来から、携帯電話や携帯音楽機器等の携帯用移動端末（電子機器）には、持ち運びを容易にするためのストラップが取り付けられている。ただし、携帯用移動端末は小型であるので、ストラップを取り付けるための溝孔も小さくならざるを得ない。そのため、ユーザが、ストラップを携帯用移動端末に取り付けることに手間取っているという実態がある。
【０００３】
このような実態を解消すべく、携帯用移動端末に容易にストラップを取り付け可能な技術が開発されている（特許文献１参照）。この技術によると、携帯用移動端末に設けられているストラップ用の溝孔とストラップの先端とが嵌り合うようになっている。そのため、ユーザはワンタッチの操作でストラップを携帯用移動端末に取り付けできる。
【特許文献１】特開平１１−１６３５４１号公報
【発明の開示】
【発明が解決しようとする課題】
【０００４】
しかしながら、特許文献１の技術では、１個の携帯用移動端末に１個のストラップしか取り付けられない。そのため、美観性向上のために、１個の携帯用移動端末に複数のストラップを取り付けるユーザにとっては、特許文献１の技術は不適といえる。
【０００５】
本発明は、上記の状況を鑑みてなされたものである。そして、本発明の目的は、１個の携帯用移動端末に１個のストラップを容易に取り付けできるだけではなく、複数のストラップを容易に取り付けできるストラップ取り付け構造、並びに、そのストラップ取り付け構造を備える移動用携帯端末等の電子機器を提供することにある。
【課題を解決するための手段】
【０００６】
本発明は、ストラップに設けられている紐を巻き付かせる挟持片と、紐を差し込める溝孔と、を含むとともに、挟持片の頭となる端を溝孔内に埋没させるとともに、その端を溝孔外に突出させる挟持片可動機構を含むストラップ取り付け構造である。
【０００７】
このような挟持片可動機構があれば、溝孔からの挟持片の露出量が変化する。そのため、ユーザは容易にストラップの紐を挟持片に巻き付かせることができる。その上、挟持片の露出量が大きければ、複数のストラップを挟持片に巻き付かせることもできる。
【０００８】
なお、かかる挟持片可動機構は、挟持片の埋没状態および挟持片の突出状態を維持する制止機能を有する。
【０００９】
また、挟持片は、対向する挟持端と、挟持端同士をつなぐ連結端とを有しており、制止機能によって、連結端と溝孔の底との間隔を変化させている。
【００１０】
なお、一例としては、以下のような挟持片可動機構が挙げられる。すなわち、挟持片と、溝孔の底に位置し、挟持片の脚となる挟持端を挿入する挿入口と、挿入口につながる円筒開孔と、円筒開孔内に収まる以下の（１）〜（４）の部材と、を含む挟持片可動機構である。
（１）挿入口から突き出る挟持端を通させる通り口を有するカップ状の第１カップ            状部材
（２）上記第１カップ状部材に収まり、上記通り口から突き出る挟持片の脚につな            がるカップ状の第２カップ状部材
（３）第１カップ状部材および第２カップ状部材に接触する接触端を有する円筒部            材
（４）円筒開孔の底に位置し、上記円筒部材を突き上げることで、その円筒部材を            円筒開孔内で移動させる弾性部材
【００１１】
そして、かかる挟持片可動機構では、第１カップ状部材に、挟持片の全部を溝に埋没させるために挟持片が押下される場合、挟持片に連動する第２カップ状部材に接触することで移動する接触端を係止させる係止端と、挟持片の一部を溝から突出させるためにその挟持片が押下される場合、挟持片に連動する第２カップ状部材に接触することで係止端から乖離する接触端を滑らせる第１滑走端と、斜行端を滑る接触端の移動を係止させる第１の切れ込み端と、が含まれている。
【００１２】
また、第１のカップ状部材において、第１の切れ込み端の隣には、第１滑走端とで第１切れ込み端を挟持するような第２滑走端が形成されるとともに、第２滑走端の隣には、第１切れ込み端とで第２滑走端を挟持するような第２の切れ込み端が形成されている。そして、挟持片の一部を溝孔から突出させるためにその挟持片が押下される場合、挟持片に連動する第２カップ状部材に接触することで第１の切れ込み端から乖離する接触端は、第２滑走端を滑った後、第２の切れ込み端によって係止されると望ましい。
【００１３】
なお、かかるような挟持片可動機構では、第１カップ状部材は、カップの底側を挿入口に対面させるとともに、通り口をカップの底から窪ませた窪み溝の底に位置させており、窪み溝の底と第２カップ状部材との接触、および、第２カップ状部材と接触端との接触が、挟持片の埋没状態を維持する制止機能になっている。
【００１４】
また、窪み溝の底と第２カップ状部材との接触、および第２カップ状部材と切れ込み端（第１の切れ込み端または第２の切れ込み端）によって係止する接触端との接触が、挟持片の突出状態を維持する制止機能になっている。
【００１５】
なお、以上のような挟持片可動機構を有するストラップ取り付け構造を備える電子機器も、本発明といえる。
【発明の効果】
【００１６】
本発明のストラップ取り付け構造によれば、ストラップの紐が巻き付く挟持片を移動させることができる。そのため、挟持片にて形成される環の露出量が調整でき、その環の露出量が大きくなることで、挟持片への紐の巻き付けが容易になる。その上、挟持片における環の露出量が大きいと、挟持片に複数のストラップを取り付けることもできる。
【発明を実施するための最良の形態】
【００１７】
［実施の形態１］
本発明の実施の一形態について、図面に基づいて説明すれば、以下の通りである。なお、図面によっては便宜上、斜視図等にハッチングを施す場合がある。また、部材番号を省略する場合もあるが、かかる場合、他の図面を参照するものとする。
【００１８】
図１３は、携帯用移動端末の一例である携帯電話６９を示している。そして、ストラップ５１が、この携帯電話６９に含まれるストラップ取り付け構造ＳＣによって、取り付けられている。具体的には、ストラップ５１先端の環状の紐５２が、携帯電話６９の筐体１に設けられた溝孔２に入り、さらに挟持片３に巻き付くことで、ストラップ５１が携帯電話６９に取り付けられている。
【００１９】
なお、挟持片３は、対向する板状の挟持端４・４と、挟持端同士４・４をつなぐ連結端５とを有する半環状の部材である。そのため、環状の紐５２が連結端５を囲み、ストラップ５１の持ち手が紐５２の環を通ることで、紐５２が連結端５（挟持片３の頭となる部分）に巻き付く。
【００２０】
ここで、図１〜図７を用いてストラップ取り付け構造ＳＣについて詳説する。ストラップ取り付け構造ＳＣには、挟持片３を可動させる機構（挟持片可動機構ＮＭ）が含まれている。そして、図１がかかる挟持片可動機構ＮＭに含まれる部材を示す分解斜視図である。また、図２は筐体１に設けられた溝孔２および後述の円筒開孔８を示す斜視図である。なお、溝孔２の孔方向（筐体１表面から落ち込む方向）を、以降では第１方向Ｄ１と称す。
【００２１】
挟持片可動機構ＮＭは、図１および図２に示すように、挟持片３と、筐体１に設けられた溝孔２の底２ａに位置し、挟持片３の脚となる挟持端４・４を挿入する挿入口７と、その挿入口７につながり、第１方向Ｄ１に延びる円筒状の開孔（円筒開孔８）とを含む（なお、以降では、挿入口７側を上側、円筒開孔８の底側を下側と称する）。
【００２２】
さらに、挟持片可動機構ＮＭは、円筒開孔８内に収容される幾つかの部材を含む。その部材とは、第１カップ状部材Ｃ１、第２カップ状部材Ｃ２、円筒部材ＣＬ、およびスプリング（弾性部材）ＳＰである。
【００２３】
第１カップ状部材Ｃ１は、円状の第１底面１０と、その第１底面１０から延びて円筒状になっている第１側面１１とを有する。そして、第１カップ状部材Ｃ１は、第１底面１０を挿入口７に面するように位置している。
【００２４】
また、第１カップ状部材Ｃ１は、第１側面１１の縁（第１底面１０に接しない部分）をジグザグ状（ノコギリ歯状）にさせているとともに、その第１側面１１の縁から第１方向Ｄ１と同方向に進出する切れ込み端（第１の切れ込み端）１２を複数有している。そして、この切れ込み端１２は、後述の突出端３３を嵌め込み可能な幅を有している（後述の図１２Ａ参照）。
【００２５】
なお、この切れ込み端同士１２・１２の間に位置する第１側面１１の縁には、１つの段差（係止端）１３が生じるようになっている。そこで、一方の切れ込み端１２から隣り合う他方の切れ込み端１２に至るまでの途中で、段差１３を乗り上げるようにする第１側面１１の縁を第１斜行端１４、この第１斜行端１４に隣り合う第１側面１１の縁を第２斜行端（第１滑走端）１５と称すこととする。
【００２６】
なお、第２斜行端１５は、他方の切れ込み端１２から隣り合う一方の切れ込み端１２に至るまでの途中で、段差１３に落ち込むようにする第１側面１１の縁でもある。また、鋭角θ１の段差１３を生じさせるためには、第１斜行端１４と第２斜行端１５とを結ぶ第１側面１１の縁は、第１方向Ｄ１に沿うように傾斜しているとよい。
【００２７】
また、第１カップ状部材Ｃ１は、第１底面１０から第１方向Ｄ１に同方向に窪ませた溝（窪み溝１７・１７）を挟持端４・４の数と同数有している。そして、これらの窪み溝１７・１７は、挟持端４・４を嵌め込みできるような位置に形成されている。その上、窪み溝１７・１７の底には、挟持端４・４を通させる通り口１８・１８が形成されている。
【００２８】
第２カップ状部材Ｃ２は、円状の第２底面２０と、その第２底面２０から延びて円筒状になっている第２側面２１とを有する。そして、第２カップ状部材Ｃ２は、第２底面２０を挿入口７に面するように位置している。つまり、第２カップ状部材Ｃ２と第１カップ状部材Ｃ１とは、互いにカップの底（第１底面１０・第２底面２０）を同方向に向けて円筒開孔８に収容されている。その上、第２カップ状部材Ｃ２は、第１カップ状部材Ｃ１内にも収容されるようになっている。
【００２９】
また、第２カップ状部材Ｃ２は、第２側面２１の縁（第２底面２０に接しない部分）をジグザグ状にさせている。ただし、ジグザグ状の谷部分の角度θ２は、鈍角になっている。
【００３０】
円筒部材ＣＬは、基体となる円筒部３０、および、その円筒部３０における側面（円筒側面）３１の上側付近から天面（円筒天面）３２に向かって突出する突出端（接触端）３３を複数有する（なお、この個数は、同形状の切れ込み端１２の個数と同数である）。そして、この突出端３３は、第１カップ状部材Ｃ１の第１斜行端１４・第２斜行端１５の合致するような先端（突出端３３における上側の端）３３ａを有する。なお、円筒部材ＣＬは、第２カップ状部材Ｃ２の下側に位置する。
【００３１】
スプリングＰＰは、円筒部材ＣＬの下側に位置するとともに円筒開孔８の底に位置する。そして、かかるスプリングＰＰは、円筒部材ＣＬを突き上げることで、その円筒部材ＣＬを円筒開孔８内で移動させている。
【００３２】
なお、以上のような、スプリングＰＰ、円筒部材ＣＬ、第２カップ状部材Ｃ２、および第１カップ状部材Ｃ１は、この順で、円筒開孔８内の底から(下側から上側に向かって)積み重なっている。その上、第２カップ状部材Ｃ２の第２底面２０は、円筒開孔８の上側に位置する挿入口７・７から突き出るとともに、第１カップ状部材Ｃ１の通り口１８からも突き出る挟持片３の脚（すなわち挟持端４・４）とつながっている。そのため、第１カップ状部材Ｃ１は、挟持片３と第２カップ状部材Ｃ２とによって挟持されることになる。
【００３３】
ここで、挟持片可動機構ＮＭによる挟持片３の移動について図３〜図７を用いて説明する。図３は、挟持片３の頭となる連結端５が溝孔２に埋没している状態を示す。図６は、連結片５が溝孔２から突出している状態を示す。そして、図４および図５は、溝孔２に埋没した連結片５が溝孔２から突出するまでの過程を示す。また、図７は、溝孔２から突出した連結片５が溝孔２に埋没する過程を示す。
【００３４】
なお、理解を容易にすべく、図３〜図７では、挟持片３は１点鎖線、第１カップ状部材Ｃ１は実線、第２カップ状部材Ｃ２は点線、円筒部材ＣＬは２点鎖線、スプリングＰＰは実線で示されている。また、これらの図では、便宜上、挿入口７、円筒開孔８等を省略している。
【００３５】
図３に示すように、連結片５が溝孔２に埋没している場合、スプリングＰＰによって円筒部材ＣＬが突き上げられる。しかしながら、円筒部材ＣＬの突出端３３は、円筒開孔８の天面８ａによって上側に移動し得ない（不動の）第１カップ状部材Ｃ１の段差１３に係わり合って止まる。
【００３６】
このようになっていると、第２カップ状部材Ｃ２における第２側面２１の縁は、突出端３３に接触する。そのため、第２カップ状部材Ｃ２は下側に移動できない。また、第２カップ状部材Ｃ２が上側に移動するような場合、第２カップ状部材Ｃ２の第２底面２０が第１カップ状部材Ｃ１の窪み溝１７の底に接触する。そのため、第２カップ状部材Ｃ２は過剰に上側へ移動できない。
【００３７】
つまり、第２カップ状部材Ｃ２と円筒部材ＣＬの突出端３３との接触、および、第１カップ状部材Ｃ１における窪み溝１７の底１７ａと第２カップ状部材Ｃ２の第２底面２０との接触が、挟持片３の埋没状態を維持する制止機能を果たすことになる。
【００３８】
次に、挟持片３を溝孔２から突出させようとする場合、挟持片３が押下されることで、この挟持片３につながる第２カップ状部材Ｃ２も下側に移動する（図４参照）。そのため、第２カップ状部材Ｃ２における第２側面２１の縁は、第１斜行端１４によって係止されている円筒部材ＣＬの突出端３３を下側へと押し出す。すると、突出端３３は第１斜行端１４と第２斜行端１５との間に位置する段差１３を乗り越える。
【００３９】
そして、この突出端３３による段差１３の乗り越えと同時に、下側に移動する円筒部材ＣＬによって生じるスプリングＰＰの反発力によって、突出端３３は上側に移動しようとする（図５参照）。すると、突出端３３は段差１３を乗り越え、第２斜行端１５上を滑走する。なお、第２斜行端１５は円筒状の第２側面２１の縁にあるので、突出端３３がこの第２斜行端１５上を滑走すると、円筒部材ＣＬが回転することになる（なお、この回転方向Ｓを時計回りの回転と称する）。
【００４０】
そして、この第２斜行端１５上を滑走する突出端３３の進行先には、第２斜行端１５に隣り合う切れ込み端１２が位置する。そのため、図６に示すように、この切れ込み端１２に突出端３３が嵌る。すると、突出端３３は、切れ込み端１２の延び方向（すなわち第１方向Ｄ１）に沿って上側に進行する。
【００４１】
このように切れ込み端１２に嵌る突出端３３が上側に進行すると、この突出端３３に接触する第２側面２１の縁も上側に移動する。すなわち、突出端３３を備える円筒部材ＣＬの移動によって、第２カップ状部材Ｃ２が上側に移動する。その結果、この第２カップ状部材Ｃ２につながる挟持片３も、上側に移動し、溝孔２から突出する。
【００４２】
なお、このように挟持片３が溝孔２から突出する場合、第２カップ状部材Ｃ２は、第２底面２０を第１カップ状部材Ｃ１の窪み溝１７の底に接触させるとともに、第２側面２１の縁を円筒部材ＣＬの突出端３３に接触させる。つまり、第２カップ状部材Ｃ２は、第１カップ状部材Ｃ１と円筒部材ＣＬとによって挟持され移動できない。
【００４３】
そのため、第１カップ状部材Ｃ１の窪み溝１７の底と第２カップ状部材Ｃ２の第２底面２０との接触、および、第２カップ状部材Ｃ２の第２側面２１の縁と第１カップ状部材Ｃ１の切れ込み端にて係止する円筒部材ＣＬの突出端３３との接触が、挟持片３の突出状態を維持する制止機能を果たすといえる。
【００４４】
なお、突出端３３による段差１３の乗り越え、すなわち突出端３３が第１斜行端１４から乖離する場合、突出端３３と段差１３との擦れによって音（「カチィ」という音）が発生する。また、移動する突出端３３が切れ込み端１２に嵌る場合、突出端３３と切れ込み端１２との擦れによって音が発生する。
【００４５】
次に、溝孔２から突出した挟持片３を挟持片３に埋没させる場合について説明する。まず、図７に示すように、挟持片３が押下されることで、第２カップ状部材Ｃ２が下側に移動する。このように第２カップ状部材Ｃ２が下側に移動すると、第２側面２１の縁も下側に移動するので、第２側面２１の縁に接触している突出端３３も下側に移動する。そして、突出端３３が切れ込み端１２の入口にまで移動し、さらに下側に移動すると、切れ込み端１２から離れる。
【００４６】
このような突出端３３による切れ込み端１２からの乖離と同時に、下側に移動する円筒部材ＣＬによって生じるスプリングＰＰの反発力によって、突出端３３は上側に移動しようとする。すると、突出端３３は切れ込み端１２に隣り合う第１斜行端１４上を滑走する（図７参照）。なお、第１斜行端１４は円筒状の第２側面２１の縁にあるので、突出端３３がこの第１斜行端１４上を滑走すると、円筒部材ＣＬが回転することになる。
【００４７】
そして、この第１斜行端１４上を滑走する突出端３３の進行先には、第１斜行端１４に隣り合う段差１３が位置する。そのため、突出端３３はこの段差１３にぶつかり停止する。この段差１３の位置は、切れ込み端１２の底（切れ込み端１２の入口に対する対向側の端；第１底面１０に近い側）の位置に比べて下側にあるので、突出端３３を備える円筒部材ＣＬは下側に移動する。そして、この下降した突出端３３は、第２カップ状部材Ｃ２における第２側面２１の縁を接触することで支え持つ。そのため、第２カップ状部材につながる挟持片３も下側に移動することになる（図３参照）。
【００４８】
以上のように、挟持片可動機構ＮＭは、挟持片３の頭となる連結端５を溝孔２内に埋没させるとともに、連結端５を溝孔２外に突出させる。したがって、この挟持片可動機構ＮＭを備えるストラップ取り付け構造ＳＣは、以下の点で有用といえる。
【００４９】
すなわち、トラップ５１を携帯電話６９に取り付けたい場合、ストラップ５１の紐を巻き付ける挟持片３が溝孔２から露出できる。詳説すると、挟持片３の連結端５と溝孔２の底２ａと間隔を変化させることで、挟持片３の環Ｈ（挟持端４と連結端５によって形成される環Ｈ）が溝孔２から露出する。そのため、環Ｈを介して、紐５２が挟持片３に簡単に巻き付け可能になる。つまり、挟持片可動機構ＮＭを備えるストラップ取り付け構造ＳＣは、ストラップの取り付けを容易にしている。
【００５０】
また、挟持片可動機構ＮＭは、挟持片３を溝孔２から突出した状態で維持される制止機能を有している。したがって、複数のストラップ５１の紐を挟持片３の環Ｈに挿入可能になる。つまり、複数のストラップ５１が携帯電話６９に取り付け可能になる。なお、溝孔２から露出する挟持片３の環Ｈのサイズが比較的大きいと、従来取り付けできなかったアイテム（例えば、クリップ、ヘアピン、安全ピンといったアクセサリ）も取付可能になる。
【００５１】
［実施の形態２］
実施の形態２について説明する。なお、実施の形態１で用いた部材と同様の機能を有する部材については同一の符号を付記し、その説明を省略する。
【００５２】
挟持片可動機構ＮＭは、実施の形態１で説明したようなノック式の機構に限定されない。例えば、図８〜図１１に示されるような挟持片可動機構ＮＭであってもよい。
【００５３】
図８は、実施の形態２で説明する挟持片可動機構ＮＭの分解斜視図である。この図８に示すように、挟持片可動機構ＮＭは、挟持片３、溝孔２、挟持端用開孔４０・４０、ストッパ孔ＳＨ、およびスプリングＰＰを含んでいる。
【００５４】
挟持片３は、実施の形態１同様に、挟持端４・４と連結端５とを有している。ただし、実施の形態２の挟持片３には、さらに、ストッパＳＰが、挟持端４の外側側面４ａに設けられている。このストッパＳＰはストッパ孔ＳＨに嵌ることで、挟持片３を挟持片用開孔４０に対して不動にするものである。
【００５５】
なお、ストッパＳＰは、連結端５側に段差を生じさせる一方、挟持端４の自由端側（連結端５とつながっていない挟持端４の一端側）に段差を生じさせないようになっている。そして、かかるようなストッパＳＰの一例が、図８に示される。すなわち、挟持端４から突出する四角柱部材における表面（挟持端４の外側側面４ａと同方向の一面）の連結端側から自由端側に向かって徐々に削り取る量を増加させることで形成される斜面を備えるストッパＳＰである。
【００５６】
溝孔２も、実施の形態１同様に、ストラップ５１の紐５２を差し込める孔である。ただし、この溝孔２は、２つの部分２Ｄ１・２Ｄ２を有する。これについては後述するものとする。
【００５７】
挟持端用開孔４０・４０は、第１方向Ｄ１と同方向に孔方向を有するとともに、挟持端４・４を収容できる幅および深さを有する。そして、これら挟持端用開孔４０・４０は、溝孔２を挟持するような位置にあり、連結端５によって乖離した挟持端４・４に対応するようになっている。
【００５８】
なお、挟持端用開孔４０・４０に挟持端４・４の全部が収容された場合に、連結端５が筐体１の表面から突出させないため、溝孔２は連結端５の面サイズを包含する面サイズでかつ連結端５の厚みを包含するへこみを有している。このへこみを第１部分２Ｄ１とすると、溝孔２は、第１部分２Ｄ１と、紐５２の差し込める部分となる第２部分２Ｄ２との２つの部分２Ｄ１・２Ｄ２を含むようになっている。
【００５９】
ストッパ孔ＳＨ（ＳＨ１〜ＳＨ３）は、筐体１の表面、詳説すると溝孔２が位置する筐体１の表面１に対する側面１から、挟持端用開孔４０に向かって貫通する孔である。そして、このストッパ孔ＳＨには、挟持片３のストッパＳＰが嵌るようになっている。なお、かかるストッパ孔ＳＨは、第１方向Ｄ１に沿って３個並列している。
【００６０】
スプリングＰＰ・ＰＰは、挟持端用開孔４０・４０の底に位置する（なお、挟持端用開孔４０・４０の底を下側、これに対向する側を上側と称す）。そして、かかるスプリングＰＰ・ＰＰは、挟持端４・４を突き上げることで、挟持片３を第１方向Ｄ１に沿って移動させている。
【００６１】
ここで、挟持片可動機構ＮＭによる挟持片３の移動について図９〜図１１を用いて説明する。図９は、挟持片３の頭となる連結端５が溝孔２に埋没している状態を示す。図１０は、連結片５が溝孔２から突出している状態を示す。図１１は、図１０よりも連結片５が溝孔２から突出している状態を示す。なお、理解を容易にすべく、図９〜図１１では、挟持片３は実線、溝孔２、挟持端用開孔４０・４０、およびストッパ孔ＳＨは点線で示し、スプリングＰＰは省略されている。
【００６２】
図９は、挟持片３の挟持端４・４が挟持端用開孔４０・４０に差し込まれ、挟持端用開孔４０の底に最も近いストッパ孔ＳＨ（ＳＨ１）に、挟持端４のストッパＳＰが嵌っている状態を示す。かかる場合、スプリングＰＰ・ＰＰは挟持端４・４によって押さえつけられているので、反発力が生じる。しかしながら、反発力で挟持端４・４が上昇したとしても、ストッパＳＰの段差ＳＰＤがストッパ孔ＳＨに引っかかるので動かない。そのため、挟持片３は不動となる。なお、ストッパ孔ＳＨ１にストッパＳＰが嵌っている状態で、連結片５が溝孔２の第１部分２Ｄ１に埋もれるようになっている。
【００６３】
図１０は、３個並ぶストッパ孔ＳＨ（ＳＨ１〜ＳＨ３）のうち中心に位置するストッパ孔ＳＨ２に、挟持端４のストッパＳＰが嵌っている状態を示す。この状態になるには、まず、ストッパ孔ＳＨ１に嵌るストッパＳＰの段差ＳＰＤが内側に向けて押さえ付けられる。すると、ストッパＳＰの段差ＳＰＤがストッパ孔ＳＨ１から外れ、その結果、ストッパＳＰがストッパ孔ＳＨ１から乖離する。
【００６４】
そして、このようなストッパＳＰとストッパ孔ＳＨ１との乖離が生じると、スプリングＰＰの反発力によって挟持端４・４は突き上げられる。そのため、ストッパＳＰは上側に進む。すると、ストッパ孔ＳＨ１の上側に位置するストッパ孔ＳＨ２に、ストッパＳＰは到達することになり、かかるストッパＳＰはストッパ孔ＳＨ２に嵌る。
【００６５】
かかるようにストッパＳＰがストッパ孔ＳＨ２に嵌ると、挟持片３は不動となる。その上、ストッパＳＰの上側への移動に伴い、挟持片３も上側に移動する。したがって、図１０に示すように、挟持片３の連結端５および挟持端４・４の一部が溝孔２から突出する。
【００６６】
また、ストッパ孔ＳＨ２の上側には、さらにストッパ孔ＳＨ３が位置する（挟持端用開孔４０・４０の入口に最も近いストッパ孔ＳＨ３である）。すると、ストッパ孔ＳＨ２に嵌るストッパＳＰの段差ＳＰＤが内側に押さえ付けられると、ストッパＳＰはストッパ孔ＳＨ２から乖離し、挟持片３はスプリングＰＰの反発力によって上側に移動する。その結果、ストッパＳＰはストッパ孔ＳＨ３に嵌る。
【００６７】
かかるようにストッパＳＰがストッパ孔ＳＨ３に嵌ると、挟持片３は不動となるとともに、ストッパＳＰの上側への移動に伴い、挟持片３も上側に移動する。特に、ストッパ孔ＳＨ３が最も上側に位置することから、図１１に示すように、挟持片３の連結端５および挟持端４・４の一部が溝孔２から最も大きく突出する。
【００６８】
なお、ストッパ孔ＳＨ３に嵌るストッパＳＰの段差ＳＰＤが内側に押さえ付けられると、かかるストッパＳＰはストッパ孔ＳＨ３から乖離し、挟持片３はスプリングＰＰの反発力によって上側に移動する。そのため、携帯電話６９の筐体１から挟持片３を取り外すことができる。
【００６９】
また、ストッパ孔ＳＨ３から下側のストッパ孔ＳＨ２・ＳＨ１にストッパＳＰを移動させるためには、ストッパＳＰがストッパ孔ＳＨ（ＳＨ１〜ＳＨ３）から乖離した場合に、挟持端用開孔４０・４０から挟持端４・４を外れさせないように、挟持片３が押下されればよい。なお、挟持端４に形成されたストッパＳＰと、筐体１に形成されたストッパ孔ＳＨとの接触で、挟持片３の埋没状態（図９参照）および挟持片３の突出状態（図１０・図１１参照）が維持されることから、この接触が制止機能を果たすことになる。
【００７０】
以上のような、挟持片可動機構ＮＭであっても、実施の形態１の挟持片可動機構同様に、挟持片３の頭となる連結端５を溝孔２内に埋没させるとともに、連結端５を溝孔２外に突出させる。したがって、実施の形態２での挟持片可動機構ＮＭを備えるストラップ取り付け構造ＳＣであっても、実施の形態１での挟持片可動機構ＮＭのもたらす作用効果が奏ずる。
【００７１】
特に、実施の形態２での挟持片可動機構ＮＭの場合、挟持片３の連結端５と溝孔２の底２ａと間隔が多段階で変化する。そのため、溝孔２から露出する挟持片３の環Ｈのサイズが多段階で変化するので、ユーザにとって便利がよい。
【００７２】
［実施の形態３］
実施の形態３について説明する。なお、実施の形態１・２で用いた部材と同様の機能を有する部材については同一の符号を付記し、その説明を省略する。
【００７３】
実施の形態１で説明したノック式の挟持片可動機構ＮＭでは、挟持片３は溝孔２から突出するか埋没するしかなかった。しかし、挟持片３の突出状態が多段階に変化する挟持片可動機構ＮＭであってもよい。そこで、かかるような挟持片可動機構ＮＭについて以降に説明する。
【００７４】
図１２Ａは、実施の形態１で説明した第１カップ状部材Ｃ１の展開図である（ただし、窪み溝１７、通り口１８は省略）。そして、実施の形態１での挟持片可動機構ＮＭでは、円筒部材ＣＬの突出端３３が段差１３に係わり合って止まり、その停止する突出端３３に接触した第２カップ状部材Ｃ２につながる挟持片３は溝孔２に埋没する（図３参照）。一方、突出端３３が切れ込み端１２に嵌って上側に移動することで、その移動する突出端３３に接触した第２カップ状部材Ｃ２につながる挟持片３は溝孔２から突出する（図６参照）。
【００７５】
図１２Ｂは、図１２Ａとは異なる第１カップ状部材Ｃ１（ただし、図１２Ａ同様、窪み溝１７、通り口１８は省略）の展開図である。そして、かかる第１カップ状部材Ｃ１を用いることで、挟持片３の突出状態が多段階に変化する。そこで、この第１カップ状部材Ｃ１について詳説する。
【００７６】
この第１カップ状部材Ｃ１では、切れ込み端１２は、図１２Ａでの切れ込み端１２よりも短くなっている。そして、この切れ込み端１２の隣には、第２斜行端１５とでかかる切れ込み端１２を挟持するような第３斜行端１６が形成されている（なお、第３斜行端１６の斜行方向は、第１斜行端１４・第２斜行端１５と同方向になっている）。また、第３斜行端１６の隣には、切れ込み端１２とでかかる第３斜行端１６を挟持するような切れ込み端４２が形成されている（なお、切れ込み端４２は、図１２Ａでの切れ込み端１２と同程度の長さになっている）。
【００７７】
そして、このような第１カップ状部材Ｃ１を搭載する挟持片可動機構ＮＭでは、実施の形態１同様に、円筒部材ＣＬの突出端３３が段差１３に係わり合って止まり、その停止する突出端３３に接触した第２カップ状部材Ｃ２につながる挟持片３は溝孔２に埋没する。
【００７８】
一方、挟持片３が溝孔２から突出する場合は、突出端３３が切れ込み端１２に嵌って上側に移動することで挟持片３が溝孔２から突出する場合と、突出端３３が切れ込み端４２に嵌って上側に移動することで挟持片３が溝孔２から突出する場合と、がある。
【００７９】
突出端３３が切れ込み端１２に嵌って上側に移動することで挟持片３が溝孔２から突出する場合は、実施の形態１で説明したとおりである。
【００８０】
一方、突出端３３が切れ込み端４２に嵌って上側に移動することで挟持片３が溝孔２から突出する場合は、押下された挟持片３に連動する第２カップ状部材Ｃ２に接触することで切れ込み端１２から乖離する突出端３３が、第３斜行端（第２の滑走端）１６を滑った後に切れ込み端（第２の切れ込み端）４２に嵌り、スプリングＰＰの反発力によって上側に移動する。すると、この突出端３３に接触する第２側面２１の縁も上側に移動するので、第２カップ状部材Ｃ２が上側に移動し、その結果、この第２カップ状部材Ｃ２につながる挟持片３も、上側に移動する。
【００８１】
ただし、これらの両場合では、第１側面の縁から第１底面１０に至るまでの切れ込み端１２および切れ込み端４２の長さに応じて、突出端３３の位置が変わる。すなわち、短い切れ込み端１２では突出端３３は第１底面１０から比較的離れて位置し、長い切れ込み端４２では突出端３３は第１底面１０に比較的近づく。そのため、突出端３３の移動に連動する第２カップ状部材Ｃ２の位置も変わり、その結果、この第２カップ状部材Ｃ２につながる挟持片３の溝孔２から突出量が変化する。つまり、突出量が多段階で変化する。
【００８２】
したがって、図１２Ｂに示すような第１カップ状部材Ｃ１を搭載する挟持片可動機構ＮＭは、実施の形態２同様に、挟持片３の連結端５と溝孔２の底２ａと間隔が多段階で変化する。その結果、実施の形態２同様に、溝孔２から露出する挟持片３の環Ｈのサイズが多段階で変化するので、ユーザにとって便利がよい。
【００８３】
なお、図１２Ｂに示される第１カップ状部材Ｃ１に対応する円筒部材ＣＬは、図１２Ｃのように、２個の突出端３３しか含まない。なぜなら、切れ込み段差４２および切れ込み端１２は、第１カップ状部材Ｃ１に２個ずつで形成されているためである。
【００８４】
［その他の実施の形態］
なお、本発明は上記の実施の形態に限定されず、本発明の趣旨を逸脱しない範囲で、種々の変更が可能である。
【００８５】
例えば、ストラップ取り付け構造ＳＣの搭載対象は、携帯電話に限定されず、携帯音楽機器等の携帯用移動端末に搭載されてもよい。
【００８６】
また、挟持片可動機構ＮＭは、実施の形態１・２にて説明したものに限定されない。要は、ストラップ５１に設けられている紐５２を巻き付かせる挟持片３と、かかる紐５２を差し込める溝孔２と、を含むとともに、挟持片３の頭となる端（連結片５）を溝孔２内に埋没させるとともに、その端を溝孔２外に突出させる挟持片可動機構であればよい。
【００８７】
ただし、挟持片可動機構ＮＭは、溝孔２に対する挟持片３の埋没状態および挟持片３の突出状態を維持する制止機能を有していると望ましい。このような制止機能があればこそ、連結端５と溝孔２の底２ａとの間隔が変化可能になる。
【図面の簡単な説明】
【００８８】
【図１】は、実施の形態１で説明するストラップ取り付け構造における挟持片可動機構の分解斜視図である。
【図２】は、図１の挟持片可動機構における溝孔および円筒開孔を主体的に示した斜視図である。
【図３】は、図１の挟持片可動機構における挟持片の連結端が溝孔に埋没している状態を示す斜視図である。
【図４】は、図３の溝孔に埋没した連結片が溝孔から突出するまでの１過程を示す斜視図である。
【図５】は、図３の溝孔に埋没した連結片が溝孔から突出するまでの１過程を示す斜視図である。
【図６】は、図１の挟持片可動機構における連結片が溝孔から突出している状態を示す斜視図である。
【図７】は、図６の溝孔から突出した連結片が溝孔に埋没する１過程を示す斜視図である。
【図８】は、実施の形態２で説明するストラップ取り付け構造における挟持片可動機構の分
【図９】は、図８の挟持片可動機構における挟持片の連結端が溝孔に埋没している状態を示す斜視図である。
【図１０】は、図９の連結片が溝孔から突出している状態を示す斜視図である。
【図１１】は、図１０よりも連結片が溝孔から突出している状態を示す斜視図である。
【図１２】では、（Ａ）は実施の形態１で説明する第１カップ状部材の展開図であり、（Ｂ）は実施の形態３で説明する第１のカップ状部材の展開図であり、（Ｃ）は実施の形態３で説明する円筒部材の斜視図である。
【図１３】は、携帯電話の斜視図である。
【符号の説明】
【００８９】
ＳＣ    ストラップ取り付け構造
ＮＭ    挟持片可動機構
１    筐体
２    溝孔
３    挟持片
４    挟持端
５    連結片
７    挿入口
８    円筒開孔
Ｃ１    第１カップ状部材
１０    第１底面
１１    第１側面
１２    切れ込み端（第１の切れ込み端）
１３    段差（係止端）
１４    第１斜行端
１５    第２斜行端（第１滑走端）
１６    第３斜行端（第２滑走端）
１７    窪み溝
１８    通り口
Ｃ２    第２カップ状部材
２０    第２底面
２１    第２側面
ＣＬ    円筒部材
３０    円筒部
３１    円筒側面
３３    突出端（接触端）
ＰＰ    スプリング（弾性部材）
４０    挟持端用開孔
４２    切れ込み端（第２の切れ込み端）
ＳＨ    ストッパ孔
ＳＰ    ストッパ
ＳＰＤ  ストッパの段差
Ｄ１    第１方向
５１    ストラップ
５２    紐
６９    携帯電話
【図１】
2008258351.tif 000003
【図２】
2008258351.tif 000004
【図３】
2008258351.tif 000005
【図４】
2008258351.tif 000006
【図５】
2008258351.tif 000007
【図６】
2008258351.tif 000008
【図７】
2008258351.tif 000009
【図８】
2008258351.tif 000010
【図９】
2008258351.tif 000011
【図１０】
2008258351.tif 000012
【図１１】
2008258351.tif 000013
【図１２】
2008258351.tif 000014
【図１３】
2008258351.tif 000015